(57)【要約】  本明細書で開示したのは、靴紐結束の緊張状態を確実に維持するように靴紐に直結した靴紐結束装置である。 本靴紐結束装置は、ハウジング、それぞれの靴紐の両自由端を通す一対の紐通路、およびそれぞれの紐通路幅を拡げるかまたは狭めるために垂直に往復運動可能な一対のシャトルを具備する。 靴を締めるために紐通路を通る靴紐が引張られると、シャトルがそれぞれの紐通路幅を拡げるように移動して靴紐の自由動作を確保する。 これに対し、靴を緩めるために靴紐が解かれると、シャトルがそれぞれの紐通路幅を狭めるように移動してそれぞれの紐通路幅を狭める、それによって靴紐動作が抑制される。 本靴紐結束装置は、それぞれの紐通路幅を狭めるようにシャトルを移動できるようにするために、それぞれのシャトルに弾性を適用するように構成された一対の弾性部材、および手で押すと紐通路幅を拡げるためにシャトルを移動するように構成された解除ボタンをさらに具備する。
2006527001.tif 000002
【特許請求の範囲】
【請求項１】
下記を具備する靴紐結束装置： 
ハウジング 10； 
靴紐 2 の両自由端がそれぞれ通る一対の紐通路 20 ； 
それぞれの紐通路幅 20 を拡げるかまたは狭めるために往復運動可能であって、靴本体 3 を締め付けるために紐通路 20 を通る靴紐 2 を引張ると、紐通路 20 の幅を拡げるようにシャトル 30 が移動し、それによって靴紐 2 の自由動作が確保され、同時に靴本体 3 を緩めるために靴紐 2 を解くと、シャトル 30 が紐通路 20 の幅を狭めるように移動し、それによって靴紐 2 の動作が抑制される一対のシャトル 30；
シャトル 30 がそれぞれの紐通路 20 の幅を狭めるように移動することを可能にするため、それぞれのシャトル 30 に弾性を適用するように構成された一対の弾性部材 40；手で押すと紐通路 20 の幅を拡げるためにシャトル 30 の移動するように構成された解除ボタン 50 を具備する靴紐結束装置を提供することによって達成することができる。
【請求項２】
一対のそれぞれの傾斜突出部 13 がハウジング 10 の上壁 11 および下壁 12 間に規定される空間内部のシャトル 30 に隣接して斜めに配設され；それぞれの傾斜突出部 13 周囲の上壁 11 と下壁 12 間の各空間がそれぞれの紐通路 20 を規定し；そして傾斜突出部 13 がシャトル 30 の垂直動作経路に対して近接して上向きまたは離れて下向きになるように位置決めされ、それによって紐通路 20 がシャトル 30 の垂直動作に従って狭まるかまたは拡がる請求項1に規定した装置。 
【請求項３】
シャトル 30 が歯車であり、ハウジング 10 の上側および下側に形成したシャトルスロット14、71 に往復運動可能に嵌着する請求項 1 に規定した装置。 
【請求項４】
弾性部材 40 がハウジング 10 に組み込まれたトーションバネ 40B である請求項 1 に規定した装置。 
【請求項５】
靴紐 2 の両垂端が嵌め込まれて結ばれるハウジング 10 に組み込まれた靴紐ホルダー 60 をさらに具備する請求項 1 に規定した装置。 
【請求項６】
靴紐ホルダー 60 に、ハウジング 10 にその片側端が連結する一対の連接棒 63；連接棒 63 の他端に連結していると共に靴紐 2 を通して蝶結びにすることを可能にするための複数孔 65 を有するホルダー本体 64、靴紐 2 が該孔にアクセスすることを可能にするために開かれたホルダー本体 64 の一面；そして、ホルダー本体 64 の開放表面を覆うためのキャップ 66 が含まれる請求項 5 に規定した装置。
【発明の詳細な説明】
【技術分野】
【０００１】
本発明は靴紐結束装置に関するものであり、より具体的には靴紐結束の緊張状態を確実に維持するように靴紐に直結した靴紐結束装置に関するのもである。 
【背景技術】
【０００２】
一般的に、最も広範に用いられる靴、より具体的には運動靴は、使用者が靴の外殻に穿設したハトメに通した靴紐の締め付けの度合いを調節することによって使用者の足形状にぴったりと合うように靴本体を締め付けることができるように作られている。 
そのような紐タイプの靴を使用者の足に固定するためには、使用者は先ず、靴が使用者の足周囲を締め付けるようにハトメに通した靴紐を緊く引張り、次いで靴紐の両自由端を蝶結びにして止める。 
しかしながら、紐タイプの靴には、靴の脱ぎ履きの際に使用者は常に靴紐を結んだり解いたりしなくてはならず、また靴紐が歩行中に偶発的に緩んだり解けることが頻繁にあることから、使用に手間がかかるという欠点がある。 
上記紐タイプ靴の靴紐結束に関して発生するそのような不便さを解決する従来の技術としては、韓国特許登録番号第 171552 号 (2000 年 3 月 15 日)、韓国特許出願番号第 2001-0008137 号 (2001 年 2 月 2 日)などにおいて開示された靴紐結束装置がある。 
しかしながら、開示された従来の靴紐結束装置には、靴紐を装置に通すことが容易でなく、また、締め付け後に歩行中に靴紐の張力が徐々緩んでしまい靴が使用者の足で緩まってしまう原因となるなどの点でいくつかの問題がある。 
【発明の開示】
【発明が解決しようとする課題】
【０００３】
以上の点から、本発明は上記問題の観点からなされたものであり、本発明の目的は、靴紐に容易に直結でき、そして靴の脱ぎ履きの際には靴紐を容易かつ迅速に結んだり解いたりすることができる靴紐結束装置を提供することである。 
本発明の別の目的は、靴紐が偶発的に緩んだり解けることを防止できる靴紐結束装置提供することである。 
本発明のさらに別の目的は、靴紐の両垂端を結んだ後でも引き続き外観良く保つことができる靴紐結束装置を提供することである。 
【課題を解決するための手段】
【０００４】
本発明によれば、上記およびその他の目的は：ハウジング；靴紐の両自由端をそれぞれ通す一対の紐通路；靴を締めるために紐通路を通る靴紐が引張られると、シャトルがそれぞれの紐通路幅を拡げるように移動して靴紐の自由動作を確保すると同時に、靴を緩めるために靴紐が解かれると、シャトルはそれぞれの紐通路幅を狭めるように移動して靴紐動作を抑制するようにそれぞれの紐通路幅を拡げるかまたは狭めるために垂直に往復運動可能な一対のシャトル；それぞれの紐通路幅を狭めるようにシャトルが移動できるようにするために、それぞれのシャトルに弾性を適用するように構成された一対の弾性部材；そして、手で押すと紐通路幅を拡げるためにシャトルを移動するように構成された解除ボタンを具備する靴紐結束装置を提供することによって達成することができる。 
好ましくは、ハウジングの上壁と下壁間に規定した空間内部のシャトルに隣接した一対の傾斜突出部をそれぞれ斜めに配設し、傾斜突出部周囲の上壁と下壁間に規定した空間によりそれぞれの紐通路を規定し、かつ、その紐通路がシャトルの垂直動作経路に対して近接して上向きまたは離れて下向きになり、シャトルの垂直動作に応じて狭まるかまたは広がるように該傾斜突出部を配置することができる。 
好ましくは、該シャトルを歯車とし、ハウジングの上側および下側に形成したシャトルスロットに往復運動可能に嵌着することができる。 
好ましくは、該弾性部材をハウジングに組み込まれたトーションバネとすることができる。 
好ましくは、該靴紐結束装置を靴紐の両垂端が嵌め込まれて結ばれるハウジングに組み込まれる靴紐ホルダーをさらに具備することができる。 
好ましくは、該靴紐ホルダーには、ハウジングに対してその片側端が連結した一対の連接棒、連接棒の他端に連結していると共に靴紐を通して蝶結びにすることを可能にするための複数孔を有するホルダー本体、靴紐が該孔にアクセスすることを可能にするために開かれたホルダー本体の一面、およびホルダー本体の開放表面を覆うためのキャップを含むことができる。
【発明を実施するための最良の形態】
【０００５】
本発明の上記およびその他の目的、特徴およびその他の利点は下記の添付図面と併せた詳細な説明によってさらに明確に理解されるであろう。
【０００６】
ここに本発明の好適な実施形態をさらに詳細に参照し、実施例を添付図面に図解する。 可能な限り、図面および説明の全域において同一または同様部品を参照するには、同一参照番号を用いるものとする。 以下の実施形態は、本発明に係る靴紐結束装置を例示的に説明することのみを目的としており、本発明の範囲を限定することを意図するものではない。 
【実施例１】
【０００７】
ここに本発明の第１実施形態に係る靴紐結束装置を図1〜図４（ｄ）を参照して説明する。 
前述の図面に示したように、参照番号 1 として表す靴紐結束装置は、靴紐 2 が偶発的に緩んだり解けたしないようにその両端を緊結するための装置であって、原則的に一対の左右紐通路 20、一対の左右シャトル 30、一対の左右弾性部材 40、および解除ボタン 50 を具備する。 これらすべての列挙した構成部品は靴紐結束装置 1 のハウジング 10 に組み込む。 
靴紐結束装置 1 は、靴紐 2 の両端を互いに同一方法で結束するように設計する。 このように、靴紐結束装置 1 は、その左側と右側が互いに対称となる構造を持つ。 従って以下、時と場合によっては、対称構造の片側のみを説明する。 
ハウジング 10 は靴紐結束装置 1 の種々構成部品を組み込むためのケーシング部材である。 図１〜図４（ｄ）に示した実施形態ではハウジング 10 はおよそ長方断面形状を持つが、ハウジング 10 の形状は、装置 1 の他構成部品をその目的に適合するために組み込む限りは特有の形状に限定されるものではないことに注目されたい。 たとえば、ハウジング 10 は図 5 に示したように楕円形状に形成してもよいし、子供の興味をひく特徴のある他のさまざまな特有の形状に形成してもよい。 
紐通路 20 は靴紐 2 がハウジング 10 内部に貫入することを可能にするための通路である。 ハウジング 10 内部にそのような紐通路 20 を規定するため、一対の傾斜突出部 13 を、上壁 11 と下壁 12 から一定距離で間隙を介する位置で、それぞれのシャトル 30 の垂直動作経路に対して斜め方向になるようにハウジング 10 の上壁 11 および下壁 12 間に規定される空間に対称的に組み込む。 それによって、それぞれの傾斜突出部 13 周囲の上壁 11 と下壁 12 間の各空間は各紐通路 20 を規定するようになる。 
紐通路 20 を 3 つの通路部：20A、20B、および 20C に分割する。  この場合、靴紐 2 が先ず上壁 11 および傾斜突起部 13 間に規定した通路部 20A から入り、次いで傾斜突起部13 およびシャトル 30 間に規定した通路部 20B を周り、最終的に傾斜突起部 13 および下壁 12 間に規定した通路部 20C からから出る。 すなわち、靴紐 2 を傾斜突起部 13 周囲を一回りさせてハウジング 10 を通す。 本明細説明書では、ハウジング 10 の「上壁」および「下壁」は単に図面上の上部位置および下部位置にあたる壁を意味する。 
シャトル 30 は、靴紐 2 が偶発的に緩んだり解けることがなく、靴を脱ぐ際には簡単かつ容易に解けることを可能にするための靴紐 2 を締め付けるための部材である。 
より具体的には、図４（ａ） 図に示した矢印方向に靴 3 を締め付けるように靴紐 2 を引張ると、図４（ａ） 図に示した矢印方向に通路部 20B の幅を拡げるようにシャトル 30 は靴紐 2 の動作によって移動し、それによって靴紐 2 の動作を抑制しないようになる。 このように、靴紐 2 は自由に移動可能な状態を保つ。 
これに対し、靴 3 が図４（ｂ） 図に示した矢印方向に緩むように靴紐 2 を引張ると、図４（ｂ） 図に示した 矢印方向に通路部 20B の幅を狭めるように靴紐 2 にかかる力と弾性部材 40 の弾性の両方の力によってシャトル 30 は移動し、それによって靴紐 2 の動作を抑制しないようになる。 結果として、靴紐 2 は偶発的に緩んだり解けたりしないように緊締される。 
この為、解除ボタン 50 が非押圧で自然状態では、紐通路 20、シャトル 30、および弾性部材 40 間の相互作用によって、靴紐 2 は、靴本体 3 の締め付け方向には自由に移動可能であるが、靴紐 3 を緩める方向にはその動作が限定される。 
本実施形態ではシャトル 30 として歯車を使用する。 歯車 30 はハウジング 10 の垂直方向に往復運動するように設置する。 すなわち、歯車 30 は、垂直配向するハウジング 10 のシャトルスロット14 および 71 に嵌着する状態で垂直に往復運動可能である。 ここでは、シャトルスロット14 および 71 によってシャトル 30 の動作方向を規定する。 別法として、歯車の代わりに高摩擦面を有するローラーなど他の部材をシャトル 30 として使用することも可能である。 
図面から分かるように、個々の傾斜突出部 13 は、シャトルスロット14 および 71 に対して上向きに近接または下向きに間隔をおくように斜めに配設する。 本実施形態では、シャトルスロット14 をハウジング 10 の下面に形成し、他のシャトルスロット 71 を内部カバー 70 に形成するが、それは以下に説明する。 
シャトル 30 の上記垂直往復動作によって、シャトル 30 が上方に移動すると、紐通路部 20B は狭まり、それによって靴紐 2 の動作が抑制され、シャトル 30 が下方に移動すると、紐通路部 20B は拡がり、それによって靴紐 2 の自由動作が確保される。 
弾性部材 40 は、紐通路部 20B を狭めて靴紐 2 の動きを抑制するように、シャトル 30 を上方に移動するために必要な弾性力を提供するための部材である。 
すなわち、外部力がかからない場合は、それぞれの弾性部材 40 の弾性力受けることによって、シャトル 30 はそのような上方に移動した位置を保つ。 外部力が弾性部材 40 の弾性力を克服してかかる場合、紐通路部 20B を拡がり、靴紐 2 の拘束を解除するようにシャトル 30 は下方に移動する。 しかしながら、この場合でさえ、外力が解除され次第、シャトル 30 は直ちに上方の原位置に戻る。 
弾性部材 40 は、それぞれの紐通路部 20B を狭めるようにシャトル 30 を移動するために必要な弾性力提供することができる限り、さまざまな種類の部材から自由に選択することができる。 図１〜図４（ｄ）に示した実施形態では、特に、具体的に参照番号 40A として表す個々の弾性部材は、関連するシャトル 30 の 1 つの下にあるハウジング 10 から一体的に突出する弾性板状部材という形をとる。 弾性板状部材 40A の弾性はハウジング 10 自体の素材弾性であり、ハウジング 10 は、たとえば、プラスチック合成樹脂でできている。 
解除ボタン 50 は、締め付けた靴紐 2 を緩めることを可能にするためのボタンである。 ここに示した実施形態では、具体的に参照番号 50A として表す解除ボタンは仕切り部 15 の一端周囲の中央に取り付ける。 ここでは、仕切り部 15 によりハウジング 10 の対称構造左右の中央を形成する。 
解除ボタン 50A は、一対の左右それぞれのシャトル 30 を圧迫するための 2 つの操作部 51 およびボタン部 52 を有する。 外部力が存在しない状態では、シャトル 30 は弾性板状部材 40A によって上方に移動した位置に保たれるので、その操作部 51 がシャトル 30 の両方と接触する解除ボタン 50A は上方に移動し、それによってボタン部 52 はハウジング 10 から上向きに突出するようになる。 この状態では、使用者が解除ボタン 50A を圧迫すると、解除ボタン 50A の操作部 51 はこれに対して反応してシャトル 30 を下方向に押し、紐通路部 20B を拡げる。 このように、靴紐 2 は、必要があれば緩められるようにその拘束状態から解除される。 
上述のように、本発明に係る靴紐結束装置 1 を用いると、要望のように、使用者によって引張られることによって偶発的に緩められることがないように靴紐 2 を締め付けることができる。 その上、使用者が解除ボタン 50A を押さない限り、靴紐 2 は連続的に締め付けられた状態保つことができる。 
その一方、締め付けた靴紐 2 の両自由端は、利用者によって踏みつけられてしまう恐れがあるので歩行中に不便さの原因となる。 よって、本発明の靴紐結束装置 1 は好ましくは靴紐の両垂端 2 を把握するための一対の左右靴紐ホルダー 60 と共に形成する。 
図１〜図４（ｄ）に示した具体的に参照番号 60A として表す個々の靴紐ホルダーは、ハウジング 10 のいずれかの下縁隅部に形成したホルダーポスト 61 を有する。 ホルダーポスト 61 と下壁 12 間には靴紐 2 を固定的に嵌着することを可能にするための小ギャップ 62 を規定する。 靴紐ホルダー 60A のような部材を用いて、外観良い結束および固定が行われるように、靴紐 2 をギャップ 62 に確実にキャプチャする。
【０００８】
好ましくは、本発明の靴紐結束装置 1 は内部カバー 70、および外カバー 80 を具備する。 
実施形態では、内部カバー 70 を一対の上記シャトルスロット 71 と共に形成する。よって、ハウジング 10 が内部カバー 70 で覆われている状態で、両シャトル 30 をそれぞれシャトルスロット 71 に垂直に移動可能な方法で嵌着する。 
内部カバー 70 の一端はハウジング 10 の一端に蝶着し、その他端は、覆われた状態のハウジング 10 の他端に形成した係止溝 16 に弾性的に繋止するように構成する。 
さらに、外カバー 80 を、それぞれの傾斜突出部 13 の取り付けに好適な形状およびサイズを有する一対の傾斜突起スロット 81 と共に形成する。 ハウジング 10 は内部カバー 70 で覆い、次いでは外カバー 80 でかさねて覆うので、傾斜突出部 13 はそれぞれの傾斜突起スロット 81 に緊合し、それによって外カバー 80 の堅固な係止を実現する。 
これから本実施形態による靴紐結束装置 1 の動作を図４(ａ)〜図４（ｄ）を参照して説明する。 
先ず、図４(ａ)に示したように、靴紐 2 は紐通路 20 を通り、矢印方向に引張ることにより緊張するので、弾性板状部材 40A の弾性によって予め上方に移動させらているシャトル 30 は靴紐 2 の動作によって強制的に下方へ移動される。 このように要望どおり、靴紐 2 は使用者によってに引張られるように自由に移動可能な状態を保つ。 
その後に靴紐 2 にかかる牽引力を除去すると、靴紐 2 は、足の圧迫のために図４（ｂ）図に示した矢印方向へ ある程度緩むことを強いられる。 この結果、図４（ｂ）に示したように、矢印方向へのシャトル 30 の上方動作が生じる。 この場合、このようなシャトル 30 の上方動作は弾性板状部材 40A によってさらに促進され、それによって紐通路部 20B が狭める。 このように、靴紐 2 が緩まるようにかかる外力にもかかわらず、靴紐 2 は緩まないように確実に拘束される。 
靴紐 2 の結束完了後、図４（ｃ）に示したように靴紐 2 の両自由端を、それぞれ靴紐ホルダー 60A によって安定的に固定されるようにギャップ 62 に嵌着する。 
次いで、図４（ｄ）に示すように使用者によって解除ボタン 50 が押される場合、シャトル 30 は弾性板状部材 40A の弾性を克服して下方に移動する。 
その結果、靴紐 2 はその拘束状態から解除され、必要に応じて緩めたり解いたりすることができるようになる。 
上述のように、本発明の第 1 実施形態に係る靴紐結束装置 1 を用いると、単に靴紐 2 を引張ることによって偶発的に緩むことがないように靴紐 2 を要望のように緊結することが可能となる。 さらに、靴紐 2 では、使用者が解除ボタン 50 を圧迫することによってその結束の緊張状態を簡単に開放することができる。 
【実施例２】
【０００９】
これから、本発明の第 2 実施形態に係る別の靴紐結束装置を図５〜図８（ｄ）を参照して説明する。 
上記の第 1 実施形態と同様に、靴紐結束装置 1 は基本的に一対の左右紐通路 20、一対の左右シャトル 30、一対の左右弾性部材 40、および解除ボタン 50 を具備し、これらすべての構成部品はハウジング 10 に組み込むものとする。 ただし、第 1 および第 2 実施形態は、ハウジング 10 の断面形状、弾性部材 40 の種類、解除ボタン 50 の形状、および靴紐ホルダー 60 構造の点から多少異なる。 それ故、以下の説明では、本実施形態の一部の部品は第 1 実施形態と実質的に同一であるので、異なる図面で示してある場合でも同一の参照番号で表示し、その詳細な説明は不必要であると考慮されるので省略した。 
また、およそ楕円断面形状を有するハウジング 10 には、傾斜突出部 13 が上壁 11 と下壁 12 から一定距離で間隙を介した位置で斜め方向になるように傾斜突出部 13 を組み込んだ。 それによって、それぞれの傾斜突出部 13 周囲の上壁 11 と下壁 12 間の各空間はそれぞれの紐通路 20 を規定するようになる。 
この実施形態では同様に、靴紐 2 が上壁 11 および傾斜突起部 13 間に規定した通路部 20A から入り、次いで傾斜突起部13 およびシャトル 30 間の通路部 20B を周り、最終的に傾斜突起部 13 および下壁 12 間の通路部 20C からから出る。 
第 1 実施形態では、ハウジング 10 と一体的に形成した弾性板状部材 40A を弾性部材 40 として使用するが、本実施形態ではトーションバネ 40B を弾性部材 40 として用いる。 トーションバネ 40B をそれぞれのシャトル 30 とハウジング 10 の下壁 12 間に設置し、それぞれの紐通路部 20B を狭めるようにシャトル 30 を上向きを圧迫するように構成する。 第 6 図では、参照番号 41 はポストを示し、そのそれぞれの周囲にはトーションバネ 40B を取り付ける。 
それぞれのシャトル 30 の外周全域には、トーションバネ 40B がそれぞれの位置から離脱することを防止するために、好ましくは歯車の形式で溝 31 をそれぞれ形成する。 
第 1 実施形態と同様に、第 2 実施形態で具体的に参照番号 50B として表す解除ボタンを、ハウジング 10 に形成した仕切り部 15 の一端の周囲の中央に取り付ける。 第 2 実施形態の解除ボタン 50B は、2 つのシャトル 30、ボタン部 52、およびボタン部 52 の両側に形成する弾性翼 53 をそれぞれ圧迫するための2 つの操作部 51 を有する。 そのような配置構成によると、解除ボタン 50B にかかる押力が除去されると同時に、解除ボタン 50B は翼 53 の弾性によってその原位置にスムーズに戻ることができる。 
本実施形態では、単一の靴紐ホルダー 60B を靴紐ホルダー 60 として提供する。 靴紐ホルダー 60B は一対の連接棒 63、輪状ホルダー本体 64、およびキャップ 66 を具備する。 連接棒 63 をハウジングにその片側端で連結する。輪状ホルダー本体 64 は連接棒 63 の他端にに連結し、靴紐 2 を通して蝶結びにすることを可能にするための複数孔 65 と共に形成する。 ホルダー本体の一面 64、より具体的には、その上部表面を、靴紐 2 が孔 65 にアクセスできるように開放する。 キャップ 66 はホルダー本体 64 の開放表面を覆うために用いる。 
連接棒 63 は、第 1 実施形態のホルダーポスト 61 と同様の任意の突起部の周囲に取り付けるよう構成してもよいし、連接棒 63 およびホルダー本体 64 は、単一部材として構成するか、または互いに組み合わせられるように構成した独立部材として形成してもよい。 
ホルダー本体 64 の孔 65 には、靴紐 2 の両自由端を共に挿入する挿入孔 65A、靴紐 2 の両端を蝶結びにできるようにおよそ 90 度の角度にて一対で挿入孔 65A の両側から間隙を介して配置した 4 つの側孔 65B、および靴紐 2 の両自由端が共に引き出される、挿入孔 65A の逆位置に形成した引出孔 65C が含まれる。 
そのような靴紐ホルダー 60B を用いることにより、装置 1 から垂れ下がる靴紐 2 の両自由端を外観良く蝶結びにして止めることができる。 
本実施形態では、ハウジング 10 が引き続き内部カバー 70 および外カバー 80 によって覆われた状態で、参照番号 72 として表す係止部を用いて内部カバー 70 をハウジング 10 に係止し、参照番号 82 として表す別の係止部を用いて外カバー 80 をハウジング 10 に係止する。 
これから第 2 実施形態による靴紐結束装置 1 の動作を図８（ａ）〜図８（ｄ） を参照して説明する。 
先ず、図８（ａ）に示すように、靴紐 2 は紐通路 20 を通り、矢印方向に引張られることにより緊張するので、シャトル 30 は靴紐 2 の動作によってわずか下方へ強制的に移動される。 このように、靴紐 2 は、その自由な連続索引が可能な状態を保持する。 図８（ｂ）に示したように、靴紐 2の結束完了後、偶発的に緩むことがないように靴紐 2 をシャトル 30 を用いて緊締する。 次いで、図８（ｃ）に示したように、外観良く蝶結びにして止めるように、締め付けた靴紐 2 の両自由端を靴紐ホルダー 60B に通す。 その後、解除ボタン 50 を押すと、図８（ｄ）に示したように、シャトル 30 は下方に移動し、それによって靴紐 2 をその拘束状態から解除することができる。
【００１０】
このように、靴紐 2 は必要があれば緩められるように保たれる。 
上記説明から明白なように、本発明は、使用者の足形状にぴったりと合うように靴本体を締め付けることができるように作られており、靴の脱ぎ履きの際には靴紐を容易かつ迅速に結んだり解いたりできる靴紐結束装置を提供する。 さらに本発明によれば、解除ボタンが押されない限り、靴紐結束の緊張状態を連続的維持することが可能であり、それによって靴紐が偶発的に緩んだり解けることを防止できる。 その上、本発明によれば、蝶結びにして締め付けた靴紐の両垂端を外観良く結束することが可能である。 
本発明の好適な実施形態は例示目的のために開示したものであるが、当業者であれば種々の修正、付加および代替を添付の特許請求の範囲で開示した本発明の範囲および趣旨から逸脱することなく行い得ることを認識するであろう。 
【図面の簡単な説明】
【００１１】
【図１】本発明の第 1 実施形態に係る靴紐結束装置を図解する斜視図である。
【図２】カバーを省略した状態の図１に示した靴紐結束装置を図解する概略図である。
【図３】図１に示した靴紐結束装置が靴に装着されている状態を図解する例示図である。
【図４】（ａ）〜（ｄ）は、図１に示した靴紐結束装置の順次操作手順を図解する平面図である。
【図５】本発明の第 2 実施形態に係る靴紐結束装置を図解する斜視図である。
【図６】カバーを省略した状態の図５に示した靴紐結束装置を図解する概略図である。
【図７】図５に示した靴紐結束装置が靴に装着された状態を図解する例示図である。
【図８】（ａ）〜（ｄ）は、図５に示した靴紐結束装置の順次操作手順を図解する平面図である。
【図１】
2006527001.tif 000003
【図２】
2006527001.tif 000004
【図３】
2006527001.tif 000005
【図４】
2006527001.tif 000006
【図５】
2006527001.tif 000007
【図６】
2006527001.tif 000008
【図７】
2006527001.tif 000009
【図８】
2006527001.tif 000010
【国際調査報告】
2006527001.tif 000011